【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
外部結晶と結合されるように構成された統合発振器であって、
前記外部結晶と結合された発振器回路と、
前記発振器回路に結合されたキック始動パルス発生器を備える、始動回路と
を備え、
前記キック始動パルス発生器は、前記外部結晶の中心周波数の約１／３〜約１／２のパルス繰り返し率を有する周期的パルスを発生させる、統合発振器。
【請求項２】
前記キック始動パルス発生器は、
コンデンサを充電する電流源と、
前記コンデンサと並列に結合された放電スイッチであって、前記電流源と前記コンデンサとの間のノードが、コンパレータの入力に結合され、その出力は、前記放電スイッチを制御する、放電スイッチと、
前記コンパレータによって制御され、前記発振器回路に結合されている、パルス化スイッチと
を備える、請求項１に記載の統合発振器。
【請求項３】
前記コンパレータは、ヒステリシスを有する、請求項１に記載の統合発振器。
【請求項４】
所定の数のパルスが前記始動回路によって発生された後、前記始動回路をディスエーブルにする、デジタルカウンタをさらに備える、請求項１に記載の統合発振器。
【請求項５】
所定の数のパルスは、約１６〜約３２パルスである、請求項１に記載の統合発振器。
【請求項６】
所定の数のパルスは、約３２〜約６４パルスである、請求項１に記載の統合発振器。
【請求項７】
結晶発振器に結合された発振器サイクルカウンタと、
発振器クロック出力をイネーブルおよびディスエーブルにするための論理ゲートと
をさらに備え、
前記発振器サイクルカウンタは、前記結晶発振器からのある数のサイクルがカウントされた後、前記キック始動パルス発生器をディスエーブルにし、前記論理ゲートを通して前記発振器クロック出力をイネーブルにする、請求項１に記載の統合発振器。
【請求項８】
結晶発振器に結合された発振器出力振幅検出器と、
基準電圧を提供する電圧基準と、
前記発振器出力振幅検出器に結合された第１の入力と、前記電圧基準に結合された第２の入力とを有する電圧コンパレータと
をさらに備え、
検出された発振器出力振幅が前記基準電圧を上回ると、前記キック始動パルス発生器は、ディスエーブルにされ、論理ゲートは、イネーブルにされ、発振器クロック出力を提供する、請求項１に記載の統合発振器。
【請求項９】
請求項１〜８のうちの１項に記載の統合発振器を備える、マイクロコントローラ。
【請求項１０】
前記マイクロコントローラは、前記発振器回路が安定発振振幅を有した後、前記始動回路をオフにするように構成されている、請求項９に記載のマイクロコントローラ。
【請求項１１】
前記マイクロコントローラは、前記マイクロコントローラが動作を始動させた後、所定の時間周期後に前記始動回路をオフにするように構成されている、請求項９に記載のマイクロコントローラ。
【請求項１２】
前記発振器回路は、
供給電圧に結合された電流源と、
バイアス電圧に結合された第１のレジスタと、
前記第１のレジスタに結合された第１のコンデンサと、
前記第１のコンデンサに結合された第２のレジスタと、
前記電流源と、前記第１のコンデンサと、前記第１および第２のレジスタとに結合された第１のトランジスタと、
前記第１のコンデンサと前記第２のレジスタとに結合された第２のコンデンサと、
前記第２のレジスタと前記第１のトランジスタとに結合された第３のコンデンサと、
前記第１、第２および第３のコンデンサと、前記第２のレジスタと、前記第１のトランジスタとに結合された第２のトランジスタと、
前記第１および第２のトランジスタと、前記第１、第２、および第３のコンデンサと、前記第２のレジスタとに結合された前記外部結晶と
を備える、請求項１に記載の統合発振器。
【請求項１３】
外部結晶と結合されるように構成された統合発振器であって、
結晶発振器と、
前記結晶発振器に結合されたキック始動パルス発生器と、
前記結晶発振器に結合された発振器サイクルカウンタと、
発振器クロック出力をイネーブルおよびディスエーブルにするための論理ゲートと
を備え、
前記発振器サイクルカウンタは、前記発振器からのある数のサイクルがカウントされた後、前記キック始動パルス発生器をディスエーブルにし、前記論理ゲートからの前記発振器クロック出力をイネーブルにする、統合発振器。
【請求項１４】
前記キック始動パルス発生器は、
コンデンサを充電する電流源と、
前記コンデンサと並列に結合された放電スイッチであって、前記電流源と前記コンデンサとの間のノードが、コンパレータの入力に結合され、その出力は、前記放電スイッチを制御する、放電スイッチと、
前記コンパレータによって制御され、前記発振器回路に結合されている、パルス化スイッチと
を備える、請求項１３に記載の統合発振器。
【請求項１５】
前記キック始動パルス発生器に結合されたキック始動パルス発生器カウンタをさらに備え、前記キック始動パルス発生器は、ある数のパルスが前記キック始動パルス発生器カウンタによってカウントされた後、ディスエーブルにされる、請求項１３に記載の統合発振器。
【請求項１６】
請求項１３〜１５のうちのうちの１項に記載の統合発振器を備える、マイクロコントローラ。
【請求項１７】
外部結晶と結合されるように構成された統合発振器であって、
結晶発振器と、
前記結晶発振器に結合されたキック始動パルス発生器と、
発振器クロック出力をイネーブルおよびディスエーブルにするための論理ゲートと、
前記結晶発振器に結合された発振器出力振幅検出器と、
基準電圧を提供する電圧基準と、
前記発振器出力振幅検出器に結合された第１の入力と、前記電圧基準に結合された第２の入力とを有する電圧コンパレータであって、検出された発振器出力振幅が前記基準電圧を上回ると、前記キック始動パルス発生器は、ディスエーブルにされ、前記論理ゲートは、イネーブルにされ、前記発振器クロック出力を提供する、電圧コンパレータと
を備える、統合発振器。
【請求項１８】
前記キック始動パルス発生器は、
コンデンサを充電する電流源と、
前記コンデンサと並列に結合された放電スイッチであって、前記電流源と前記コンデンサとの間のノードが、コンパレータの入力に結合され、その出力は、前記放電スイッチを制御する、放電スイッチと、
前記コンパレータによって制御され、前記発振器回路に結合されている、パルス化スイッチと
を備える、請求項１７に記載の統合発振器。
【請求項１９】
請求項１７に記載の統合発振器を備える、マイクロコントローラ。
【請求項２０】
外部結晶と結合されるように構成された統合発振器を始動させるための方法であって、前記方法は、
発振器回路を前記外部結晶に結合するステップと、
前記発振器回路に結合されたキック始動パルス発生器を用いて、パルスを前記発振器回路の中に周期的にフィードするステップと
を含み、
前記キック始動パルス発生器は、前記外部結晶の中心周波数の約１／３〜約１／２のパルス繰り返し率を有する周期的パルスを発生させる、方法。
【請求項２１】
パルスを前記発振器回路の中に周期的にフィードするステップは、
電流源を用いてコンデンサを充電するステップと、
前記コンデンサ上のある電圧が到達されると、ヒステリシスを有するコンパレータによって制御されるスイッチを用いて前記コンデンサを放電するステップと、
前記コンパレータを用いてパルス化スイッチのオンおよびオフを切り替えるステップであって、前記パルス化スイッチは、前記パルスを前記発振器回路に提供する、ステップと
を含む、請求項２０に記載の方法。
【手続補正２】
【補正対象書類名】明細書
【補正対象項目名】００１６
【補正方法】変更
【補正の内容】
【００１６】
さらに別の実施形態によると、外部結晶と結合されるように構成される統合発振器を始動させるための方法は、発振器回路を外部結晶に結合するステップと、発振器回路に結合されるキック始動パルス発生器を用いて、エネルギーを発振器回路の中にパルス化するステップとを含んでもよい。本方法のさらなる実施形態によると、エネルギーをキック始動パルス発生器の中にパルス化するステップは、電流源を用いてコンデンサを充電するステップと、コンデンサ上のある電圧が到達され得るとき、ヒステリシスを有するコンパレータによって制御され得るスイッチを用いて、コンデンサを放電させるステップと、コンパレータを用いてパルス化スイッチのオンおよびオフを切り替えるステップであって、パルス化スイッチは、パルス化エネルギーを発振器回路に提供する、ステップとを含んでもよい。
本願明細書は、例えば、以下の項目も提供する。
（項目１）
外部結晶と結合されるように構成された統合発振器であって、
前記外部結晶と結合された発振器回路と、
前記発振器回路に結合され、かつ始動エネルギーをそこにパルス化する、キック始動パルス発生器を備える、始動回路と
を備える、統合発振器。
（項目２）
前記キック始動パルス発生器は、
コンデンサを充電する電流源と、
前記コンデンサと並列に結合された放電スイッチであって、前記電流源と前記コンデンサとの間のノードが、コンパレータの入力に結合され、その出力は、前記放電スイッチを制御する、放電スイッチと、
前記コンパレータによって制御され、前記発振器回路に結合されている、パルス化スイッチと
を備える、項目１に記載の統合発振器。
（項目３）
前記コンパレータは、ヒステリシスを有する、項目１または項目２に記載の統合発振器。
（項目４）
所定の数のパルスが前記始動回路によって発生された後、前記始動回路をディスエーブルにする、デジタルカウンタをさらに備える、前記項目のうちの１項に記載の統合発振器。
（項目５）
所定の数のパルスは、約１６〜約３２パルスである、前記項目のうちの１項に記載の統合発振器。
（項目６）
所定の数のパルスは、約３２〜約６４パルスである、前記項目のうちの１項に記載の統合発振器。
（項目７）
前記キック始動パルス発生器の周波数は、前記外部結晶の中心周波数の約１／３〜約１／２である、前記項目のうちの１項に記載の統合発振器。
（項目８）
前記キック始動パルス発生器の周波数は、前記外部結晶の中心周波数の１／１０以内である、前記項目のうちの１項に記載の統合発振器。
（項目９）
前記キック始動パルス発生器の周波数は、前記外部結晶の帯域通過周波数以内である、前記項目のうちの１項に記載の統合発振器。
（項目１０）
前記項目のうちの１項に記載の統合発振器を備える、マイクロコントローラ。
（項目１１）
前記マイクロコントローラは、前記発振器回路が安定発振振幅を有した後、前記始動回路をオフにするように構成されている、項目１０に記載のマイクロコントローラ。
（項目１２）
前記マイクロコントローラは、前記マイクロコントローラが動作を始動させた後、所定の時間周期後に前記始動回路をオフにするように構成されている、項目１０に記載のマイクロコントローラ。
（項目１３）
前記発振器回路は、
供給電圧に結合された電流源と、
バイアス電圧に結合された第１のレジスタと、
前記第１のレジスタに結合された第１のコンデンサと、
前記第１のコンデンサに結合された第２のレジスタと、
前記電流源と、前記第１のコンデンサと、前記第１および第２のレジスタとに結合された第１のトランジスタと、
前記第１のコンデンサと前記第２のレジスタとに結合された第２のコンデンサと、
前記第２のレジスタと前記第１のトランジスタとに結合された第３のコンデンサと、
前記第１、第２および第３のコンデンサと、前記第２のレジスタと、前記第１のトランジスタとに結合された第２のトランジスタと、
前記第１および第２のトランジスタと、前記第１、第２、および第３のコンデンサと、前記第２のレジスタとに結合された前記外部結晶と
を備える、前記項目のうちの１項に記載の統合発振器。
（項目１４）
外部結晶と結合されるように構成された統合発振器であって、
結晶発振器と、
前記結晶発振器に結合されたキック始動パルス発生器と、
前記結晶発振器に結合された発振器サイクルカウンタと、
発振器クロック出力をイネーブルおよびディスエーブルにするための論理ゲートと
を備え、
前記発振器サイクルカウンタは、前記発振器からのある数のサイクルがカウントされた後、前記キック始動パルス発生器をディスエーブルにし、前記論理ゲートからの前記発振器クロック出力をイネーブルにする、統合発振器。
（項目１５）
前記キック始動パルス発生器は、
コンデンサを充電する電流源と、
前記コンデンサと並列に結合された放電スイッチであって、前記電流源と前記コンデンサとの間のノードが、コンパレータの入力に結合され、その出力は、前記放電スイッチを制御する、放電スイッチと、
前記コンパレータによって制御され、前記発振器回路に結合されている、パルス化スイッチと
を備える、項目１４に記載の統合発振器。
（項目１６）
前記キック始動パルス発生器に結合されたキック始動パルス発生器カウンタをさらに備え、前記キック始動パルス発生器は、ある数のパルスが前記キック始動パルス発生器カウンタによってカウントされた後、ディスエーブルにされる、項目１４または項目１５に記載の統合発振器。
（項目１７）
項目１４−１６のうちのうちの１項に記載の統合発振器を備える、マイクロコントローラ。
（項目１８）
外部結晶と結合されるように構成された統合発振器であって、
結晶発振器と、
前記結晶発振器に結合されたキック始動パルス発生器と、
発振器クロック出力をイネーブルおよびディスエーブルにするための論理ゲートと、
前記結晶発振器に結合された発振器出力振幅検出器と、
基準電圧を提供する電圧基準と、
前記発振器出力振幅検出器に結合された第１の入力と、前記電圧基準に結合された第２の入力とを有する電圧コンパレータであって、検出された発振器出力振幅が前記基準電圧を上回ると、前記キック始動パルス発生器は、ディスエーブルにされ、前記論理ゲートは、イネーブルにされ、前記発振器クロック出力を提供する、電圧コンパレータと
を備える、統合発振器。
（項目１９）
前記キック始動パルス発生器は、
コンデンサを充電する電流源と、
前記コンデンサと並列に結合された放電スイッチであって、前記電流源と前記コンデンサとの間のノードが、コンパレータの入力に結合され、その出力は、前記放電スイッチを制御する、放電スイッチと、
前記コンパレータによって制御され、前記発振器回路に結合されている、パルス化スイッチと
を備える、項目１８に記載の統合発振器。
（項目２０）
項目１８または項目１９に記載の統合発振器を備える、マイクロコントローラ。
（項目２１）
外部結晶と結合されるように構成された統合発振器を始動させるための方法であって、前記方法は、
発振器回路を前記外部結晶に結合するステップと、
前記発振器回路に結合されたキック始動パルス発生器を用いて、エネルギーを前記発振器回路の中にパルス化するステップと
を含む、方法。
（項目２２）
エネルギーを前記キック始動パルス発生器の中にパルス化するステップは、
電流源を用いてコンデンサを充電するステップと、
前記コンデンサ上のある電圧が到達されると、ヒステリシスを有するコンパレータによって制御されるスイッチを用いて前記コンデンサを放電するステップと、
前記コンパレータを用いてパルス化スイッチのオンおよびオフを切り替えるステップであって、前記パルス化スイッチは、前記パルス化エネルギーを前記発振器回路に提供する、ステップと
を含む、項目２１に記載の方法。